(57)【要約】【課題】  本発明は、巾着袋をスカートとしても使用することができるスカート兼用袋を提供することを目的とする。【解決手段】  上端には上側開口部を有すると共に、下端には下側開口部を有する袋本体と、袋本体の上端に、上側開口部を取り囲むようにして設けられ、その内部に空洞を有する筒状の紐通し部であって、かつ、少なくとも１か所を切断するようにして開口することにより、近接する位置に少なくとも２つの紐通し口を有し、紐通し部を伸縮させることで上側開口部の開閉動作を行う紐通し部と、紐通し部内に挿入されると共に、両端が２つの紐通し口から外部に引き出された少なくとも１本の紐と、袋本体の下端に、その長手方向が袋本体の横方向に沿うようにして設けられ、下側開口部の開閉動作を行うファスナーとを備える。【選択図】  図１
2018015220.tif 000002
【特許請求の範囲】
【請求項１】
上端には上側開口部を有すると共に、下端には下側開口部を有する袋本体と、
前記袋本体の上端に、前記上側開口部を取り囲むようにして設けられ、その内部に空洞を有する筒状の紐通し部であって、かつ、少なくとも１か所を切断するようにして開口することにより、近接する位置に少なくとも２つの紐通し口を有し、前記紐通し部を伸縮させることで前記上側開口部の開閉動作を行う前記紐通し部と、
前記紐通し部内に挿入されると共に、両端が２つの前記紐通し口から外部に引き出された少なくとも１本の紐と、
前記袋本体の下端に、その長手方向が前記袋本体の横方向に沿うようにして設けられ、前記下側開口部の開閉動作を行うファスナーと
を備えることを特徴とするスカート兼用巾着袋。
【発明の詳細な説明】
【技術分野】
【０００１】
本発明は、スカート兼用巾着袋に関する。
【背景技術】
【０００２】
従来、例えば衣類や小物などを収納し持ち運ぶための巾着袋として、種々のものが製造及び提案されている（例えば、特許文献１参照）。
【先行技術文献】
【特許文献】
【０００３】
【特許文献１】特開平１０−２７２００８号公報
【発明の概要】
【発明が解決しようとする課題】
【０００４】
本発明は、巾着袋をスカートとしても使用することができるスカート兼用袋を提供することを目的とする。
【課題を解決するための手段】
【０００５】
本発明の一態様によるスカート兼用巾着袋は、
上端には上側開口部を有すると共に、下端には下側開口部を有する袋本体と、
前記袋本体の上端に、前記上側開口部を取り囲むようにして設けられ、その内部に空洞を有する筒状の紐通し部であって、かつ、少なくとも１か所を切断するようにして開口することにより、近接する位置に少なくとも２つの紐通し口を有し、前記紐通し部を伸縮させることで前記上側開口部の開閉動作を行う前記紐通し部と、
前記紐通し部内に挿入されると共に、両端が２つの前記紐通し口から外部に引き出された少なくとも１本の紐と、
前記袋本体の下端に、その長手方向が前記袋本体の横方向に沿うようにして設けられ、前記下側開口部の開閉動作を行うファスナーと
を備える。
【発明の効果】
【０００６】
本発明のスカート兼用巾着袋によれば、巾着袋をスカートとしても使用することができる。
【図面の簡単な説明】
【０００７】
【図１】本発明の実施の形態によるスカート兼用巾着袋の構成を示す斜視図である。
【発明を実施するための形態】
【０００８】
以下、本発明の実施の形態について図面を参照して説明する。
【０００９】
図１（ａ）は、本発明の実施の形態によるスカート兼用巾着袋１０を巾着袋として使用する場合の構成を示し、図１（ｂ）は、当該スカート兼用巾着袋１０をスカートとして使用する場合の構成を示し、図１（ｃ）は、当該スカート兼用巾着袋１０を上方から視認した場合の構成を示し、図１（ｄ）は、当該スカート兼用巾着袋１０をスカートとして使用する場合の使用状態の様子を示す。
【００１０】
袋本体２０は、例えば布やナイロンなどの収縮可能な素材からなり、その上端には上側開口部２０Ａを有すると共に、その下端には下側開口部２０Ｂを有する。
【００１１】
また、袋本体２０の上端には、第１及び第２の紐通し部３０Ａ及び３０Ｂがそれぞれ設けられている。第１及び第２の紐通し部３０Ａ及び３０Ｂは、いずれも、その内部に空洞を有し、かつ両端が開口するように筒状に形成されると共に、その長手方向が袋本体２０の横方向に沿うようにして設けられている。
【００１２】
袋本体２０の左側に配置される左側紐４０Ａは、一端を第１の紐通し部３０Ａの右側開口端に挿入し、そのまま当該一端を第１の紐通し部３０Ａの左側開口端から外部に引き出すと共に、他端を第２の紐通し部３０Ｂの右側開口端に挿入し、そのまま当該他端を第２の紐通し部３０Ｂの左側開口端から外部に引き出すことにより、両端を袋本体２０の左側下端付近にまで延伸するようにして構成されている。
【００１３】
これにより、左側紐４０Ａの中央部分は、第１の紐通し部３０Ａの右側開口端と第２の紐通し部３０Ｂの右側開口端との間で露出している。
【００１４】
同様に、袋本体２０の右側に配置される右側紐４０Ｂは、一端を第１の紐通し部３０Ａの左側開口端に挿入し、そのまま当該一端を第１の紐通し部３０Ａの右側開口端から外部に引き出すと共に、他端を第２の紐通し部３０Ｂの左側開口端に挿入し、そのまま当該他端を第２の紐通し部３０Ｂの右側開口端から外部に引き出すことにより、両端を袋本体２０の右側下端付近にまで延伸するようにして構成されている。
【００１５】
これにより、右側紐４０Ｂの中央部分は、第１の紐通し部３０Ａの左側開口端と第２の紐通し部３０Ｂの左側開口端との間で露出している。
【００１６】
袋本体２０の左側下端付近には、環状の紐固定部５０Ａが取り付けられると共に、袋本体２０の右側下端付近には、環状の紐固定部５０Ｂが取り付けられている。
【００１７】
左側紐４０Ａの両端のうち、いずれか一方の先端部分を、紐固定部５０Ａ内に挿入した上で、左側紐４０Ａの両端を結ぶことにより、使用者の一方の肩に掛けることができるようになされている。
【００１８】
同様に、右側紐４０Ｂの両端のうち、いずれか一方の先端部分を、紐固定部５０Ｂ内に挿入した上で、右側紐４０Ｂの両端を結ぶことにより、使用者の他方の肩に掛けることができるようになされている。
【００１９】
袋本体２０の下端には、その長手方向が袋本体２０の横方向に沿うようにして、ファスナー６０が設けられている。
【００２０】
スカート兼用巾着袋１０を巾着袋として使用する場合には、ファスナー６０を閉じ、収納物を袋本体２０内に収納した上で、左側紐４０Ａ及び右側紐４０Ｂを絞り、第１及び第２の紐通し部３０Ａ及び３０Ｂを収縮させる（図１（ａ））。
【００２１】
スカート兼用巾着袋１０をスカートとして使用する場合には、ファスナー６０を開け、第１及び第２の紐通し部３０Ａ及び３０Ｂを伸張させる（図１（ｂ））。その上で、使用者は、スカート兼用巾着袋１０をスカートとしてはく（図１（ｄ））。
【００２２】
このスカート兼用巾着袋１０をスカートとして使用すれば、例えば私服のズボンから体操着用のズボンに履き替える場合、下着を隠しながら履き替えることができる。
【００２３】
このように本実施の形態によれば、巾着袋をスカートとしても使用することができ、従って巾着袋の利便性を一段と向上させることができる。
【００２４】
なお、上述の実施の形態においては、左側紐４０Ａ及び右側紐４０Ｂを使用する場合について述べたが、本発明はこれに限らず、左側紐４０Ａ及び右側紐４０Ｂのうち、いずれか１本の紐のみを使用するようにしても良い。
【００２５】
すなわち、この場合、スカート兼用巾着袋１０は、上端には上側開口部２０Ａを有すると共に、下端には下側開口部２０Ｂを有する袋本体２０と、袋本体２０の上端に、上側開口部２０Ａを取り囲むようにして設けられ、その内部に空洞を有する筒状の紐通し部３０Ａ及び３０Ｂであって、かつ、少なくとも１か所を切断するようにして開口することにより、近接する位置に少なくとも２つの紐通し口（２つの左側開口端又は２つの右側開口端）を有し、紐通し部３０Ａ及び３０Ｂを伸縮させることで上側開口部２０Ａの開閉動作を行う紐通し部３０Ａ及び３０Ｂと、紐通し部３０Ａ及び３０Ｂ内に挿入されると共に、両端が２つの紐通し口（２つの左側開口端又は２つの右側開口端）から外部に引き出された少なくとも１本の紐４０Ａ又は４０Ｂと、袋本体２０の下端に、その長手方向が袋本体２０の横方向に沿うようにして設けられ、下側開口部２０Ｂの開閉動作を行うファスナー６０とを備える。
【符号の説明】
【００２６】
１０  スカート兼用巾着袋
２０  袋本体
３０  紐通し部
４０  紐
５０  紐固定部
６０  ファスナー
【図１】
2018015220.tif 000003